(57)【要約】      （修正有）【課題】環境への負荷が小さく、自治体指定の指定ゴミ袋としても使用でき、経済的なレジ袋を提供する。【解決手段】レジ袋１０は、一端が開口した袋状の袋本体１２の表面または裏面１２ｅの少なくともいずれか一方に、指定ゴミ袋として使用することができるものであることを示す許可印２０ならびに広告が印刷されていることを特徴とする。【選択図】図２
0003155854.tif 000002
【実用新案登録請求の範囲】
【請求項１】
一端が開口した袋状の袋本体の表面または裏面の少なくともいずれか一方に、指定ゴミ袋として使用することができるものであることを示す許可印ならびに広告が印刷されていることを特徴とするレジ袋。
【考案の詳細な説明】
【技術分野】
【０００１】
本考案は、指定ゴミ袋としても利用できるレジ袋に関する。
【背景技術】
【０００２】
スーパーや小売店等（以下「スーパー等」という。）では、商品購入時に「レジ袋」と呼ばれる樹脂製の袋を商品と一緒に無料で手渡すことが一般に行われている（非特許文献１参照）。
【０００３】
購入者は、購入した商品を手渡されたレジ袋に入れることにより、商品を楽に持ち帰ることができるので、商品購入時の利便性が大いに高められる。
【先行技術文献】
【非特許文献】
【０００４】
【非特許文献１】インターネット＜ＵＲＬ：http://ja.wikipedia.org/wiki/レジ袋＞
【考案の概要】
【考案が解決しようとする課題】
【０００５】
ところで、商品を持ち帰った後のレジ袋は、そのままゴミとして捨てられることが多く、資源の無駄遣いであるとの指摘が多くなされるようになってきた。このような社会的要請を背景に、近年では、レジ袋の配布を廃止して（或いは有料化して）マイバッグと呼ばれる繰り返し利用可能な袋の持参を呼びかけるマイバッグ運動が推進されつつある。
【０００６】
しかしながら、マイバッグ運動が広く推進されるようになると、レジ袋の使用量が大幅に減少することとなるため、レジ袋製造業者にとっては死活問題となる。
【０００７】
また、一般家庭では、レジ袋の配布廃止或いはレジ袋の有料化により、これまで享受できていた商品購入時の利便性が損なわれるという問題がある。
【０００８】
一方、レジ袋がそのまま再利用されずにゴミとして捨てられてしまう理由のひとつとして、レジ袋をゴミ袋として利用することができないことが指摘されている。すなわち、ゴミの廃棄に際しては、自治体が認可した有料の指定ゴミ袋を使用することが義務付けられていることから、消費者は、スーパー等で無料で配布されるレジ袋をゴミ袋として使うことができず、ゴミを捨てるためだけに有料の指定ゴミ袋を購入せざるを得ないので、家計への経済的な負担が大きいという問題があった。
【０００９】
本考案の目的は、これらの問題を一挙に解決するためになされたもので、環境への負荷が小さく、レジ袋製造業者、スーパー等、消費者さらには自治体の全てが潤うレジ袋を提供することを目的とする。
【課題を解決するための手段】
【００１０】
請求項１に記載した考案は、「一端が開口した袋状の袋本体(12)の表面(12d)または裏面(12e)の少なくともいずれか一方に、指定ゴミ袋として使用することができるものであることを示す許可印(20)ならびに広告(18)が印刷されている」ことを特徴とするレジ袋(10)である。
【考案の効果】
【００１１】
請求項１に記載のレジ袋(10)によれば、レジ袋(10)をレジ袋としてだけでなく自治体指定の指定ゴミ袋としても使用できるので、これまでのように消費者がゴミを捨てるためだけに自治体指定の有料の指定ゴミ袋を購入する必要はなく非常に経済的である。また、従来指摘されてきたように一般ゴミとして捨てられることもなくなるため、環境負荷を大幅に軽減できる。また、環境負荷が大幅に軽減されることから、レジ袋(10)の発注がこれまで通り増えてレジ袋製造業者が潤う。また、ゴミ袋として使用されているレジ袋(10)にはスーパー等の広告(18)が印刷されていることから、レジ袋(10)がゴミ袋として使用されている時にも広告(18)が行き交う人の目にとまることとなって宣伝広告効果がさらに高められ、集客力の向上に寄与することとなりスーパー等が潤う。さらに、レジ袋(10)を指定ゴミ袋として使用することについての利用料金が自治体に入ることで自治体も潤う。
【図面の簡単な説明】
【００１２】
【図１】この考案に係る指定ゴミ袋兼レジ袋の表面を示す図である。
【図２】この考案に係る指定ゴミ袋兼レジ袋の裏面を示す図である。
【考案を実施するための形態】
【００１３】
以下、本考案を図示実施例に従って詳述する。本考案に係るレジ袋(10)は、図１に示すように、袋本体(12)、一対の縛り部(14)、および一対の手提部(16)とで構成されている。
【００１４】
袋本体(12)は上部開口・下部有底の袋状部材であり、材質としては、ポリエチレンなどの樹脂フィルムが好適に使用される。
【００１５】
袋本体(12)の一方端部（図１における袋本体(12)の上部をいう。）は開口しており、この開口部分が開口部(12a)とされる。また、袋本体(12)の他方端部は熱溶着により封口されており、この封口部(12b)がレジ袋(10)の底となる。
【００１６】
袋本体(12)の開口端縁(12c)の中央部分には、一対の縛り部(14)が延出されている。各縛り部(14)は、袋本体(12)の開口端縁(12c)から一体的に延出された舌片状のシート状部分であり、袋本体(12)の開口端縁(12c)における互いに対向する位置にそれぞれ配置されている。
【００１７】
袋本体(12)の開口端縁(12c)の両端部分の互いに対向する位置には、一対の手提部(16)が延出されている。各手提部(16)は袋本体(12)の開口端縁(12c)から一体的に延出され、上端が溶着された略Ｕ状のシート状部分(16a)である。本実施例では、前記シート状部分(16a)は矩形状で、その上端縁部が熱溶着されて形成されている。
【００１８】
袋本体(12)の表面(12d)には、スーパー等の店名やロゴといった広告（以下単に「広告」という）(18)が印刷されており、裏面(12e)には、図２に示すように、このレジ袋(10)が指定ゴミ袋としても利用できることを表示する許可印(20)が印刷されている。
【００１９】
なお、この実施例では、広告(18)と許可印(20)とがレジ袋(10)の表裏別々の面に印刷されているが、両者を同じ面（例えば表面(12d)）に印刷するようにしても良い。
【００２０】
このように構成されているレジ袋(10)の使用方法について、以下、説明する。
まず、スーパー等は、消費者に配布するレジ袋(10)を指定ゴミ袋として再利用することができるよう、自治体に対して指定ゴミ袋登録申請を行う。
【００２１】
スーパー等から申請を受けた自治体は、スーパー等が配布するレジ袋(10)がゴミ袋として使用するのに十分な品質を備えているか等について審査を行い、所定の条件をクリアしていると判断した場合には、スーパー等に対して許可証を発行する。
【００２２】
レジ袋(10)を指定ゴミ袋として利用することについての許可を受けたスーパー等は、レジ袋製造業者に対してレジ袋(10)の製造を依頼する。このとき、レジ袋(10)がゴミ袋として使用することについて自治体から許可を与えられたものであることを示す許可証を併せて提示する。
【００２３】
レジ袋製造業者は、スーパー等の注文に応じてレジ袋(10)の製造を行う。上述したように、レジ袋(10)の表面(12d)には広告(18)が印刷され、レジ袋(10)の裏面(12e)には許可印(20)が印刷されている。
【００２４】
レジ袋製造業者が製造したレジ袋(10)を代金と引き換えにスーパーが受け取ると、スーパーは、消費者に対してレジ袋(10)を購入した商品と一緒に配布する。なお、消費者に配布したレジ袋(10)の枚数は、店員（レジ係）がカウンターを使ってカウントする。
【００２５】
そして、スーパー等は、消費者に配布したレジ袋(10)の枚数を集計し、その配布量に応じた額の使用料を自治体に支払う。これにより、自治体には使用量が税収として入ることになり、税収がアップする。
【００２６】
一方、レジ袋(10)を受け取った消費者は、購入した商品をレジ袋(10)に詰め、自宅に持ち帰る。消費者は、商品購入時にレジ袋(10)を無料で受け取ることができるので、買い物の度にわざわざマイバッグを持参する必要がなく、商品購入時の利便性が損なわれることはない。
【００２７】
上述したように、レジ袋(10)の裏面(12e)には、指定ゴミ袋して利用することができる許可印(20)が印刷されているので、消費者は、商品をレジ袋(10)に詰めて持ち帰った後、レジ袋(10)をゴミ袋として再利用することができる。したがって、消費者は、ゴミを捨てるためだけにわざわざ有料の指定ゴミ袋を購入する必要はなく、非常に経済的である。
【００２８】
なお、レジ袋(10)の裏面(12e)には、スーパー等の広告(18)が印刷されているので、ゴミを入れたレジ袋(10)がゴミ捨て場に捨てられていると、当該広告(18)が道行く人々の目にとまって宣伝広告効果が高められ、スーパー等の集客力向上に寄与することとなる。
【図１】
0003155854.tif 000003
【図２】
0003155854.tif 000004